【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
トナーであって、
樹脂と；
ワックスシェルに囲まれた着色剤コアを含む複数の着色剤ワックス粒子を含む着色剤ワックスとを含み、着色剤ワックス粒子が、約１５０ナノメートルから約３００ナノメートル未満の粒度分布を示し、平均粒径は約２２２ナノメートルであり；着色剤ワックスが、（ａ）着色剤を少なくとも１種類のワックスとともに溶融し、混合して着色剤濃縮物を作成し、この着色剤濃縮物が、少なくとも２５重量％の着色剤を含有することと；（ｂ）工程（ａ）の着色剤濃縮物を粉砕し、粉砕した着色剤濃縮物を作成することと；（ｃ）工程（ｂ）の粉砕した着色剤濃縮物と水とを合わせ、分散させ、複数の着色剤ワックス粒子を作成することとによって調製され、
工程（ａ）の溶融し、混合すること、および工程（ｂ）の粉砕することは、含浸メディアミルで行われ、
工程（ｃ）の合わせることは、ピストンホモジナイザを用いて行われる、トナー。
【請求項２】
樹脂がポリエステルである、請求項１に記載のトナー。
【請求項３】
樹脂が、アモルファスポリエステル、結晶性ポリエステル、またはこれらの混合物である、請求項１に記載のトナー。
【請求項４】
樹脂が、スチレン、アクリレート、メタクリレート、ブタジエン、イソプレン、アクリル酸、メタクリル酸、アクリロニトリル、およびこれらの組み合わせからなる群から選択される、請求項１に記載のトナー。
【請求項５】
樹脂が、ポリ（スチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチルイソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸ブチル）、ポリ（スチレン−ブタジエン）、ポリ（スチレン−イソプレン）、ポリ（スチレン−メタクリル酸ブチル）、ポリ（スチレン−アクリル酸ブチル−アクリル酸）、ポリ（スチレン−ブタジエン−アクリル酸）、ポリ（スチレン−イソプレン−アクリル酸）、ポリ（スチレン−メタクリル酸ブチル−アクリル酸）、ポリ（メタクリル酸ブチル−アクリル酸ブチル）、ポリ（メタクリル酸ブチル−アクリル酸）、ポリ（スチレン−アクリル酸ブチル−アクリロニトリル−アクリル酸）、ポリ（アクリロニトリル−アクリル酸ブチル−アクリル酸）、およびこれらの混合物およびこれらの組み合わせからなる群から選択される、請求項１に記載のトナー。
【請求項６】
樹脂が、アモルファスポリエステル、結晶性ポリエステル、またはこれらの混合物からなる群から選択され；
結晶性ポリエステルが、結晶性樹脂を作成するのに適した任意要素の触媒およびさらなる有機ジオール存在下、１つ以上のポリオール分枝鎖モノマーと、二酸またはジエステルとを反応させることによって作られ、さらなる有機ジオールは、１，２−エタンジオール、１，３−プロパンジオール、１，４−ブタンジオール、１，５−ペンタンジオール、２，２−ジメチルプロパン−１，３−ジオール、１，６−ヘキサンジオール、１，７−ヘプタンジオール、１，８−オクタンジオール、１，９−ノナンジオール、１，１０−デカンジオール、１，１２−ドデカンジオール、およびこれらの混合物、およびこれらの組み合わせからなる群から選択され、これらの構造異性体を含み；二酸またはジエステルは、シュウ酸、コハク酸、グルタル酸、アジピン酸、スベリン酸、アゼライン酸、セバシン酸、フマル酸、フマル酸ジメチル、イタコン酸ジメチル、ｃｉｓ−１，４−ジアセトキシ−２−ブテン、フマル酸ジエチル、マレイン酸ジエチル、フタル酸、イソフタル酸、テレフタル酸、ナフタレン−２，６−ジカルボン酸、ナフタレン−２，７−ジカルボン酸、シクロヘキサンジカルボン酸、マロン酸、メサコン酸、これらのジエステルまたは酸無水物、およびこれらの混合物およびこれらの組み合わせからなる群から選択され；
アモルファスポリエステルは、アモルファス樹脂を作成するのに適した任意要素の触媒およびさらなる有機ジオール存在下、１つ以上のポリオール分枝鎖モノマーと、二酸またはジエステルとを反応させることによって作られ、二酸またはジエステルは、テレフタル酸、フタル酸、イソフタル酸、フマル酸、トリメリット酸、フマル酸ジメチル、イタコン酸ジメチル、ｃｉｓ−１，４−ジアセトキシ−２−ブテン、フマル酸ジエチル、マレイン酸ジエチル、マレイン酸、コハク酸、イタコン酸、コハク酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、フマル酸ジメチル、マレイン酸ジメチル、グルタル酸ジメチル、アジピン酸ジメチル、ドデシルコハク酸ジメチル、およびこれらの混合物およびこれらの組み合わせからなる群から選択され；さらなる有機ジオールは、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）−ビスフェノールＡ、ビス（２−ヒドロキシプロピル）−ビスフェノールＡ、１，４−シクロヘキサンジメタノール、１，３−シクロヘキサンジメタノール、キシレンジメタノール、シクロヘキサンジオール、ジエチレングリコール、ビス（２−ヒドロキシエチル）酸化物、ジプロピレングリコール、ジブチレン、およびこれらの混合物およびこれらの組み合わせからなる群から選択される、請求項１に記載のトナー。
【請求項７】
ワックスが、ポリオレフィン、カルナバワックス、米ろう、カンデリラろう、木ろう、ホホバ油、ハチミツ、モンタンワックス、オゾケライト、セレシン、パラフィンワックス、微結晶性ワックス、Ｆｉｓｃｈｅｒ−Ｔｒｏｐｓｃｈワックス、ステアリン酸ステアリル、ベヘン酸ベヘニル、ステアリン酸ブチル、オレイン酸プロピル、グリセリドモノステアレート、グリセリドジステアレート、ペンタエリスリトールテトラベヘネート、ジエチレングリコールモノステアレート、ジプロピレングリコールジステアレート、ジグリセリルジステアレート、トリグリセリルテトラステアレート、ソルビタンモノステアレート、ポリエチレンワックス、エステルワックス、アミドワックス、脂肪酸、脂肪族アルコール、脂肪族アミド、およびこれらの組み合わせからなる群から選択される、請求項１に記載のトナー。
【請求項８】
着色剤は、マゼンタ顔料、シアン顔料、イエロー顔料、ブラック顔料、およびこれらの混合物及びこれらの組み合わせからなる群から選択される顔料である、請求項１に記載のトナー。
【請求項９】
トナーであって、
樹脂と；
ワックスシェルに囲まれた着色剤コアを含む複数の着色剤ワックス粒子を含む着色剤ワックスとを含み、着色剤ワックス粒子が、約１５０ナノメートルから約３００ナノメートル未満の粒度分布を示し、Ｚ平均粒径は約２００ナノメートルであり；着色剤ワックスが、（ａ）着色剤を少なくとも１種類のワックスとともに溶融し、混合して着色剤濃縮物を作成し、この着色剤濃縮物が、少なくとも２５重量％の着色剤を含有することと；（ｂ）工程（ａ）の着色剤濃縮物を粉砕し、粉砕した着色剤濃縮物を作成することと；（ｃ）工程（ｂ）の粉砕した着色剤濃縮物と水とを合わせ、分散させ、複数の着色剤ワックス粒子を作成することとによって調製され、
工程（ａ）の溶融し、混合すること、および工程（ｂ）の粉砕することは、含浸メディアミルで行われ、
工程（ｃ）の合わせることは、ピストンホモジナイザを用いて行われる、トナー。